(57)【要約】【課題】常に広告主の最新情報を広告することができると共に管理者側の負担を軽減させた広告配信機能付きＰＯＳシステムを提供する。【解決手段】管理本部が広告を作成するのではなく、広告主が広告（ＣＭ）を作成し広告登録端末３０に登録するため、管理者の広告作成の費用、手間を省くことができる。また、広告主の最新情報を表示することができる。広告主によって作成された広告（ＣＭ）が適正なものであるか否かを本部端末２０に送信して確認するため、広告としてふさわしくない内容の広告が流される問題がない。【選択図】        図１
2004310369.tif 000002
【特許請求の範囲】
【請求項１】
店舗に設置され、表示パネルに広告を表示するＰＯＳ端末と、
広告主業者により作成された広告データを登録する広告登録端末と、
管理本部に設置され、前記広告登録端末に登録された広告が前記ＰＯＳ端末に表示可能な広告であるか否かを判断する本部端末と、
を有し、
前記本部端末により確認の処理がなされた広告データを前記広告登録端末から前記ＰＯＳ端末に配信し、広告を表示することを特徴とする広告配信機能付きＰＯＳシステム。
【請求項２】
前記本部端末は、
広告契約の際に前記広告主端末から送信された、広告を配信する地域情報から、広告を配信する店舗情報を作成し前記広告登録端末に送信し、
前記広告登録端末は、前記店舗情報により指定された店舗に前記広告を配信することを特徴とする請求項１記載の広告配信機能付きＰＯＳシステム。
【請求項３】
前記本部端末は、
前記広告契約の際に前記広告主端末から送信された、広告を表示する時間帯情報を前記広告登録端末に送信し、
前記広告登録端末は、前記広告と共に前記時間帯情報を配信し、
前記店舗には、前記広告登録端末から送信された広告を蓄積する蓄積手段を有し、
前記蓄積手段は、前記広告登録端末から前記広告と共に配信された時間帯情報を参照し、前記広告を指定された時間帯に前記ＰＯＳ端末に送信し、広告表示を行なうことを特徴とする請求項２記載の広告配信機能付きＰＯＳシステム。
【請求項４】
広告主業者により作成された広告データを広告登録端末に登録する工程と、
前記登録された広告データを管理本部に設置された本部端末に送信し、広告内容の確認処理を行なう工程と、
前記本部端末により配信許可信号を受信した広告を店舗に設置されたＰＯＳ端末に配信し、広告表示する工程と、
を有することを特徴とする広告表示方法。
【請求項５】
前記本部端末において、
広告契約の際に前記広告主端末から送信された、広告を配信する地域情報から、広告を配信する店舗情報を作成し前記広告登録端末に送信する工程を有し、
前記広告登録端末において、前記店舗情報により指定された店舗に前記広告を配信する工程を有することを特徴とする請求項４記載の広告表示方法。
【請求項６】
前記本部端末において、前記広告契約の際に前記広告主端末から送信された、広告を表示する時間帯情報を前記広告登録端末に送信する工程を有し、
前記広告登録端末において、前記広告と共に前記時間帯情報を配信する工程を有し、
前記店舗には、前記広告登録端末から送信された広告と時間帯情報とを蓄積手段に蓄積する工程を有し、
前記蓄積手段において、前記時間帯指定情報により、前記広告を指定された時間帯に前記ＰＯＳ端末に送信し、広告表示を行なう工程を有することを特徴とする請求項５記載の広告表示方法。
【発明の詳細な説明】
【０００１】
【発明の属する技術分野】
本発明は、主として店舗に設置されて販売情報を管理するＰＯＳ（ＰｏｉｎｔＯｆ  Ｓａｌｅｓ）端末に対してその販売情報を統括的に管理するための管理本部に設置される本部端末をネットワークを介して接続して構成されるＰＯＳシステムであって、詳しくはＰＯＳ端末の表示パネルへ表示すべき広告を配信して広告表示を行なう広告配信機能付きＰＯＳシステムに関する。
【０００２】
【従来の技術】
従来、一般的なＰＯＳシステムの場合、複数箇所の店舗に設置されて販売情報を管理するＰＯＳ端末に対してその販売情報を統括的に管理するための管理本部側に設置される本部端末がインターネット等のネットワークを介して接続された構成となっている。
【０００３】
このＰＯＳシステムにおいて、ＰＯＳ端末に付設される表示パネルへ広告を表示する場合、まず、広告配信を代行するコンビニエンス等の業者が広告データを作成する。次に、広告主と取り決めた広告配信条件（配信時間帯や配信対象地域）に従って、管理本部側の本部端末から広告データを各店舗のＰＯＳ端末に配信する。
【０００４】
広告を実施したい顧客が効率的な広告宣伝を実施可能とする技術が以下に示す特許文献１、２に開示されている。
【０００５】
【特許文献１】
特開２００２−７４５７号公報
【特許文献２】
特開平１０−２４７２８７号公報
【０００６】
【発明が解決しようとする課題】
しかしながら、広告は広告配信を代行するコンビニエンス等の業者が作成するため、広告主の最新情報を表示することができないという問題がある。
【０００７】
本発明は上記事情に鑑みてなされたものであり、常に広告主の最新情報を広告することができると共に管理者側の負担を軽減させた広告配信機能付きＰＯＳシステム、広告表示方法を提供することを目的とする。
【０００８】
【課題を解決するための手段】
係る目的を達成するために請求項１記載の発明は、店舗に設置され、表示パネルに広告を表示するＰＯＳ端末と、広告主業者により作成された広告データを登録する広告登録端末と、管理本部に設置され、広告登録端末に登録された広告がＰＯＳ端末に表示可能な広告であるか否かを判断する本部端末と、を有し、本部端末により確認の処理がなされた広告データを広告登録端末からＰＯＳ端末に配信し、広告を表示することを特徴とする。
【０００９】
請求項２記載の発明は、請求項１記載の発明において、本部端末は、広告契約の際に広告主端末から送信された、広告を配信する地域情報から、広告を配信する店舗情報を作成し広告登録端末に送信し、広告登録端末は、店舗情報により指定された店舗に広告を配信することを特徴とする。
【００１０】
請求項３記載の発明は、請求項２記載の発明において、本部端末は、広告契約の際に広告主端末から送信された、広告を表示する時間帯情報を広告登録端末に送信し、広告登録端末は、広告と共に時間帯情報を配信し、店舗には、広告登録端末から送信された広告を蓄積する蓄積手段を有し、蓄積手段は、広告登録端末から広告と共に配信された時間帯情報を参照し、広告を指定された時間帯にＰＯＳ端末に送信し、広告表示を行なうことを特徴とする。
【００１１】
請求項４記載の発明は、広告主業者により作成された広告データを広告登録端末に登録する工程と、登録された広告データを管理本部に設置された本部端末に送信し、広告内容の確認処理を行なう工程と、本部端末により配信許可信号を受信した広告を店舗に設置されたＰＯＳ端末に配信し、広告表示する工程と、を有することを特徴とする。
【００１２】
請求項５記載の発明は、請求項４記載の発明において、本部端末において、広告契約の際に広告主端末から送信された、広告を配信する地域情報から、広告を配信する店舗情報を作成し広告登録端末に送信する工程を有し、広告登録端末において、店舗情報により指定された店舗に広告を配信する工程を有することを特徴とする。
【００１３】
請求項６記載の発明は、請求項５記載の発明において、本部端末において、広告契約の際に広告主端末から送信された、広告を表示する時間帯情報を広告登録端末に送信する工程を有し、広告登録端末において、広告と共に時間帯情報を配信する工程を有し、店舗には、広告登録端末から送信された広告と時間帯情報とを蓄積手段に蓄積する工程を有し、蓄積手段において、時間帯指定情報により、広告を指定された時間帯にＰＯＳ端末に送信し、広告表示を行なう工程を有することを特徴とする。
【００１４】
【発明の実施の形態】
次に添付図面を参照しながら本発明の広告配信機能付きＰＯＳシステムに係る実施の形態を詳細に説明する。図１〜図５を参照すると本発明の広告配信機能付きＰＯＳシステムに係る実施の形態が示されている。
【００１５】
図１は、本発明の一つの実施の形態に係る広告配信機能付きＰＯＳシステムの基本構成を示したブロック図である。この広告配信機能付きＰＯＳシステムは、ＰＯＳ端末１０と、本部端末２０と、広告登録端末３０と、広告主端末４０とを有して構成される。
【００１６】
ＰＯＳ端末１０は、複数箇所の店舗に設置され、販売情報を管理すると共にこの販売情報と広告登録端末３０から送信された広告を付設された表示パネルに表示可能である。
【００１７】
本部端末２０は、管理本部側に設置され、ＰＯＳ端末１０に対してインターネット等のネットワーク１００を介して接続されると共に、ＰＯＳ端末１０からネットワーク１００を介して送信された販売情報を受信して統括的に管理する。また、本部端末２０は、広告主により作成され、広告主端末４０から広告登録端末３０に登録されたＣＭ等の広告データに問題となる点がないか否かを確認する。
【００１８】
広告登録端末３０は、広告主により作成され、広告主端末４０から送信されたＣＭ等の広告データを登録する。登録された広告データは、本部端末２０に転送し、管理者によるチェックを受ける。管理者によるチェックを通った広告データは、広告主との契約に従って、ＰＯＳ端末に配信される。
【００１９】
広告主端末４０は、広告事業者側に設置され、本部端末２０に対してインターネット等のネットワーク１００を介して接続され、各店舗に配置されたＰＯＳ端末１０に広告を行なうための契約を管理本部の管理者と行なう。契約条件が整うと、広告事業者側で作成した広告（ＣＭ）を広告登録端末３０に送信する。
【００２０】
図２には、コンビニエンスストア等の店舗２００の構成が示されている。図２に示されるように店舗２００には、広告登録端末３０から送信される広告（ＣＭ）データを蓄積するストアコントローラ２０１と、ストアコントローラ２０１に蓄積された広告（ＣＭ）データを表示パネルに表示する複数のＰＯＳ端末１０とが備えられている。
【００２１】
次に、図３を参照しながら本実施形態の動作手順を説明する。
まず、広告主端末４０では、本部端末２０にアクセスすると、これに応答して本部端末２０は広告配信の条件を設定するために必要な認証情報、配信条件の入力画面を広告主端末４０に配信する（Ａ１）。図４には広告主端末４０に配信される入力画面の一例が示されている。
【００２２】
広告主端末４０では、表示画面上に受信した認証情報、配信条件の画面を表示し、この画面に必要事項を入力する。配信条件として、広告を表示する地域、広告を表示する時間帯、広告の対象となる客層等の情報が挙げられる。認証情報、配信条件等の入力が済むと本部端末２０で認証を行ない、認証に成功すると広告配信の条件を受け付けたことを広告主端末４０に通知する。また、本部端末２０は、広告主端末４０から送信された配信条件から広告を配信する店舗情報、広告を表示する時間帯情報等を広告登録端末３０に送信する（Ａ２）。広告主端末４０では、作成した広告（ＣＭ）データを広告登録端末３０に送信する（Ａ３）。
【００２３】
広告主端末４０による広告（ＣＭ）データの登録が終了すると、広告登録端末３０は登録された広告（ＣＭ）データを本部端末２０に転送し、広告（ＣＭ）内容の確認依頼を送信する（Ａ４）。
【００２４】
本部端末２０は、広告主により作成された広告（ＣＭ）と、その配信条件（広告を表示する時間帯、広告を配信する地域、広告対象の年齢層等）から広告が適正な広告であるか否かを判断する（表示時間帯にふさわしい広告であるか、他社の商品を中傷するような言葉が入っていないか）。
【００２５】
管理本部によるチェックに合格すると本部端末から広告登録端末３０に配信許可信号が送信される（Ａ５）。配信許可を受けた広告登録端末３０は、配信条件により指定された地域の店舗（コンビニエンスストア）２００に広告（ＣＭ）データを送信する（Ａ６）。この際、広告データと共に広告を行なう時間帯を指定する情報がストアコントローラ２０１に送信される。ストアコントローラ２０１は、配信された広告を指定された時間帯にＰＯＳ端末１０に表示させる。
【００２６】
このように本実施形態は、管理本部が広告を作成するのではなく、広告主が広告（ＣＭ）を作成し広告登録端末３０に登録するため、管理者の広告作成の費用、手間を省くことができる。また、広告主の最新情報を表示することができる。
【００２７】
また、広告主によって作成された広告（ＣＭ）が適正なものであるか否かを管理者が確認するため、広告としてふさわしくない内容の広告が流される問題がない。
【００２８】
なお、上述した実施形態は本発明の好適な実施の形態である。但し、これに限定されるものではなく、本発明の要旨を逸脱しない範囲内において種々変形実施可能である。
【００２９】
【発明の効果】
以上の説明より明らかなように本発明は、管理本部が広告を作成するのではなく、広告主が広告（ＣＭ）を作成し広告登録端末に登録するため、管理者の広告作成の費用、手間を省くことができる。また、広告主の最新情報を表示することができる。
【００３０】
また、広告主によって作成された広告（ＣＭ）が適正なものであるか否かを管理者が確認するため、広告としてふさわしくない内容の広告が流される問題がない。
【図面の簡単な説明】
【図１】本発明に係る実施形態の構成を示す図である。
【図２】店舗に設置された端末の構成を示す図である。
【図３】動作手順を示すシーケンス図である。
【図４】広告主端末４０の表示画面に表示される入力画面の一例を示す図である。
【図５】本部端末２０の表示画面に表示される入力画面の一例を示す図である。
【符号の説明】
１０  ＰＯＳ端末
２０  本部端末
３０  広告登録端末
４０  広告主端末
【図１】
2004310369.tif 000003
【図２】
2004310369.tif 000004
【図３】
2004310369.tif 000005
【図４】
2004310369.tif 000006
【図５】
2004310369.tif 000007